(57)【要約】【課題】基地局装置と通信局装置とが無線通信する無線通信システムで、通信局装置が基地局装置との無線通信タイミングを設定する処理を効率化する。【解決手段】通信局装置では、ポーリング要求受信手段が基地局装置から無線送信されるポーリング要求を受信し、ポーリング応答送信手段が受信したポーリング要求に対するポーリング応答を基地局装置へ無線送信する際に当該送信のタイミングを変更し、ポーリング応答受信状況情報受信手段が基地局装置から無線送信されるポーリング応答の受信状況に関する情報を受信し、無線通信タイミング設定手段が複数の異なる送信タイミングで基地局装置へ無線送信したポーリング応答について基地局装置から受信したポーリング応答受信状況情報に基づいて基地局装置との無線通信タイミングを設定する。【選択図】      図２
2004172942.tif 000002
【特許請求の範囲】
【請求項１】
基地局装置と通信局装置とが無線により通信する無線通信システムにおいて、
通信局装置は、基地局装置から無線により送信されるポーリング要求を受信するポーリング要求受信手段と、
受信したポーリング要求に対するポーリング応答を基地局装置に対して無線により送信する機能及び当該送信のタイミングを変更する機能を有するポーリング応答送信手段と、
基地局装置から無線により送信される基地局装置によるポーリング応答の受信状況に関する情報を受信するポーリング応答受信状況情報受信手段と、
複数の異なる送信タイミングで基地局装置に対して無線送信したポーリング応答について基地局装置から受信したポーリング応答受信状況情報に基づいて基地局装置との無線通信のタイミングを設定する無線通信タイミング設定手段と、を備え、
基地局装置は、通信局装置に対してポーリング要求を無線により送信するポーリング要求送信手段と、
通信局装置から無線により送信されるポーリング応答を受信するポーリング応答受信手段と、
ポーリング応答受信手段によるポーリング応答の受信状況に関する情報を通信局装置に対して無線により送信するポーリング応答受信状況情報送信手段と、を備えた、
ことを特徴とする無線通信システム。
【発明の詳細な説明】
【０００１】
【発明の属する技術分野】
本発明は、基地局装置と通信局装置とが無線により通信する無線通信システムに関し、特に、通信局装置が基地局装置との無線通信タイミングを設定する処理を効率化した無線通信システムに関する。
【０００２】
【従来の技術】
例えば、企業ユーザや、ＳＯＨＯ（Ｓｍａｌｌ  Ｏｆｆｉｃｅ  Ｈｏｍｅ  Ｏｆｆｉｃｅ）と呼ばれる個人事業者や、一般家庭ユーザなどの加入者宅と、通信事業者の設備とを無線でつなぐ通信システムとして、ＦＷＡ（Ｆｉｘｅｄ  Ｗｉｒｅｌｅｓｓ  Ａｃｃｅｓｓ）などの無線アクセスシステムが知られている。
【０００３】
無線アクセスシステムでは、公衆回線網などのバックボーンネットワークに接続される基地局装置（ＢＳＥ：Ｂａｓｅ  Ｓｔａｔｉｏｎ  Ｅｑｕｉｐｍｅｎｔ）のアンテナなどをビルの屋上や塔などの高所に固定設置し、また、複数の加入者局装置（ＣＰＥ：Ｃｕｓｔｏｍｅｒ  Ｐｒｅｍｉｓｅｓ  Ｅｑｕｉｐｍｅｎｔ）のアンテナなどを加入者宅ビルの屋上などの高所に固定設置して、加入者局装置にパーソナルコンピュータ（ＰＣ）などの通信端末装置やこのような通信端末装置を接続したＬＡＮ（Ｌｏｃａｌ  Ａｒｅａ  Ｎｅｔｗｏｒｋ）などを収容する。
【０００４】
また、基地局装置や加入者局装置は、例えば、ビルの屋上や塔などの高所に固定設置される第１のユニットとビル内或いは屋外などに固定設置される第２のユニットとをケーブルで接続した構成を有している。基地局装置や加入者局装置の第１のユニットは、アンテナを用いた無線通信処理を行う無線処理部を備え、主に無線通信処理を司る。また、基地局装置の第２のユニットは主にバックボーンネットワークとのデータ通信を司り、加入者局装置の第２のユニットは主に通信端末装置やＬＡＮなどとのデータ通信を司る。
【０００５】
また、無線アクセスシステムでは、例えば、基地局装置と加入者局装置とが無線フレームをもって時分割伝送を行う通信方式により無線通信を行うことにより、同一の基地局装置に収容された異なる加入者局装置に接続されたＬＡＮなどの間を通信可能に接続してデータ通信させることや、基地局装置に接続されたバックボーンネットワークと加入者局装置に接続されたＬＡＮなどとを通信可能に接続してデータ通信させることなどができる。
【０００６】
ところで、新規に加入者局装置を設置する場合や、加入者局装置による無線通信に異常が発生した場合などには、加入者局装置に関して、基地局装置との無線通信のタイミングを適切なタイミングに設定することが必要となる。従来より、このような無線通信タイミングを設定することに関して、種々な発明が提案されている（例えば、特許文献１参照。）。
【０００７】
具体的には、従来では、加入者局装置が基地局装置への通信接続を試み、加入者局装置は基地局装置からの応答がない場合には送信タイミング設定値を変更して通信接続を再度試行することを、基地局装置からの応答が得られるまで繰り返して行う方式がある。
なお、この方式では、通信可能な送信タイミング設定値を導き出すことはできるが、最適な送信タイミング設定値を導き出すことはできない。
【０００８】
また、具体的には、従来では、加入者局装置の配下に存する端末装置から基地局装置に対して送信タイミングを変更しながらＰＩＮＧ（Ｐａｃｋｅｔ  Ｉｎｔｅｒｎｅｔ  Ｇｒｏｐｅｒ）を行い、その応答回数を集計し、最大の応答回数カウント値が得られた区間の中間の送信タイミングを設定する方式がある（例えば、特許文献１参照。）。なお、この方式では、（１）設置時には加入者局装置の配下に存する端末装置からＰＩＮＧを実行するために必ず端末装置が必要となり、このことが設置手順を増やすことにもなり、また、（２）設置者が一般のユーザである場合には基地局装置又は加入者局装置のＩＰ（Ｉｎｔｅｒｎｅｔ  Ｐｒｏｔｏｃｏｌ）アドレスが知られてしまうために、コンフィグ（コンフィギュレーション）の改ざんやクラックの危険性が発生してしまってセキュリティ上で好ましくなく、また、（３）設置時にユーザデータの通信帯域を使用することになるため、トラフィックが多い時には設置することができない、などのことが発生する可能性もある。
【０００９】
【特許文献１】
特開２００２−７７０２７号公報
【００１０】
【発明が解決しようとする課題】
しかしながら、上記従来例で示されるように、加入者局装置において基地局装置との無線通信タイミングを設定することに関しては、種々な開発がなされているものの、更なる開発が望まれていた。
本発明は、このような従来の事情に鑑みなされたもので、基地局装置と通信局装置とが無線により通信する構成において、通信局装置が基地局装置との無線通信タイミングを設定する処理を効率化することができる無線通信システムを提供することを目的とする。
【００１１】
【課題を解決するための手段】
上記目的を達成するため、本発明に係る無線通信システムでは、基地局装置と通信局装置とが無線により通信する構成において、次のような処理を行う。
すなわち、通信局装置では、ポーリング要求受信手段が、基地局装置から無線により送信されるポーリング要求を受信する。また、ポーリング応答送信手段が、受信したポーリング要求に対するポーリング応答を基地局装置に対して無線により送信し、これに際して、例えばそれぞれのポーリング応答毎に或いは所定の回数のポーリング応答毎などに、当該送信のタイミングを変更する。また、ポーリング応答受信状況情報受信手段が、基地局装置から無線により送信される基地局装置によるポーリング応答の受信状況に関する情報（ポーリング応答受信状況情報）を受信する。また、無線通信タイミング設定手段が、複数の異なる送信タイミングで基地局装置に対して無線送信したポーリング応答について基地局装置から受信したポーリング応答受信状況情報に基づいて、基地局装置との無線通信のタイミングを設定する。
【００１２】
また、基地局装置では、ポーリング要求送信手段が、通信局装置に対してポーリング要求を無線により送信する。また、ポーリング応答受信手段が、通信局装置から無線により送信されるポーリング応答を受信する。また、ポーリング応答受信状況情報送信手段が、ポーリング応答受信手段によるポーリング応答の受信状況に関する情報（ポーリング応答受信状況情報）を通信局装置に対して無線により送信する。
【００１３】
従って、通信局装置が基地局装置からのポーリング要求に対してポーリング応答を基地局装置に対して送信するポーリング処理を利用して、通信局装置が基地局装置との無線通信タイミングを設定することが行われるため、当該設定の処理を効率化することができる。
【００１４】
ここで、基地局装置は、１又は複数の通信局装置を収容する。
また、ポーリング処理では、例えば、基地局装置が収容する各通信局装置に対してポーリング要求を順次送信して通信局装置からの送信データの有無を問い合わせ、ポーリング要求を受信した通信局装置が送信データがある場合には当該送信データの信号（ここで、信号Ａと言う）を基地局装置に対して送信する一方で送信データが無い場合にはその旨を表す信号（ここで、信号Ｂと言う）を基地局装置に対して送信する、ことが行われる。
【００１５】
このようなポーリング処理では、通信局装置が基地局装置からのポーリング要求に対して返答（ポーリング応答の送信）を行う必要があり、このような返答を利用して無線通信タイミングの設定処理を行うことにより、処理の効率化を図ることができる。
なお、上記した信号Ａと上記した信号Ｂとの両方を用いて無線通信タイミングの設定処理が行われてもよいが、例えば、上記した信号Ｂのみを用いて無線通信タイミングの設定処理を行うと、送信データの信号（信号Ａ）については確実に基地局装置へ送信できるので好ましい。
【００１６】
また、ポーリング要求の信号や、ポーリング応答の信号や、ポーリング応答受信状況情報の信号としては、種々な信号が用いられてもよい。なお、ポーリング応答受信状況情報としては、一例として、制御信号により通信されると、ユーザデータの通信帯域が使用されなくて好ましい。
また、通信局装置のポーリング応答送信手段がポーリング応答の送信タイミングを変更する態様や、通信局装置の無線通信タイミング設定手段が基地局装置との無線通信タイミングを設定する態様としては、種々な態様が用いられてもよい。
【００１７】
また、基地局装置から通信局装置に対して送信されるポーリング応答受信状況情報としては、種々な情報が用いられてもよく、例えば、通信局装置からのポーリング応答が基地局装置により正常に受信されたか否かを当該通信局装置に対して通知することができるような情報が用いられる。
また、ポーリング応答受信状況情報としては、例えば、１回のポーリング応答毎に通知されてもよく、或いは、複数回のポーリング応答に関する情報がまとめて通知されてもよい。また、ポーリング応答受信状況情報としては、例えば、１つの通信局装置毎に通知されてもよく、或いは、複数の通信局装置に関する情報がまとめて通知されてもよい。
【００１８】
また、無線通信のタイミングの設定としては、例えば、無線送信のタイミングが設定されてもよく、無線受信のタイミングが設定されてもよく、無線送信と無線受信との両方のタイミングが設定されてもよい。
また、無線通信のタイミングの設定としては、例えば、タイミングを調整して、適切なタイミングを設定することが行われる。
【００１９】
以下で、更に、本発明に係る無線通信システムの構成例を示す。
一構成例として、通信局装置は、基地局装置と無線通信接続される前に無線通信接続要求を基地局装置に対して無線により送信する無線通信接続要求送信手段を備える。また、基地局装置は、通信局装置から無線により送信される無線通信接続要求を受信する無線通信接続要求受信手段と、通信局装置から無線通信接続要求を受信した場合に無線通信接続の許可を当該通信局装置に対して無線により送信する無線通信接続許可送信手段とを備える。また、基地局装置のポーリング要求送信手段は、当該基地局装置と無線通信接続された通信局装置に対してポーリング要求を無線送信する。
【００２０】
ここで、無線通信接続された状態としては、通信局装置が基地局装置と無線通信が可能に接続されたような状態が用いられる。また、例えば、基地局装置は、無線通信接続を要求する通信局装置を認証して、無線通信接続された通信局装置の識別情報を管理することなどを行う。
また、無線通信接続要求の信号や、無線通信接続の許可の信号としては、種々な信号が用いられてもよい。
【００２１】
また、一構成例として、基地局装置のポーリング応答受信状況情報送信手段は、通信局装置に対する報知を行うための報知信号を用いて、ポーリング応答の受信状況に関する情報を通信局装置に対して無線により送信する。
また、一構成例として、基地局装置の無線通信接続許可送信手段は、通信局装置に対する報知を行うための報知信号を用いて、無線通信接続の許可を通信局装置に対して無線により送信する。
【００２２】
また、一構成例として、通信局装置の無線通信タイミング設定手段は、基地局装置によるポーリング応答の受信状況が所定の条件を満たした送信タイミングの中で最も早い送信タイミングと最も遅い送信タイミングとの中間の送信タイミングを基地局装置に対する無線送信のタイミングとして設定する。
従って、通信局装置では、基地局装置との最適な無線送信タイミングを設定することができる。
【００２３】
ここで、所定の条件としては、種々な条件が用いられてもよく、例えば、通信局装置からのポーリング応答が基地局装置により正常に受信されるといった条件が用いられ、また、当該条件には、通信局装置からのポーリング応答が基地局装置により正常に受信される状態から正常に受信されない状態へ移行したところが含まれてもよい。
また、最も早い送信タイミングや、最も遅い送信タイミングとしては、必ずしも厳密なものが用いられなくともよく、実用上で有効な程度で近似的なものが用いられてもよい。
【００２４】
また、送信タイミングが最も早い或いは最も遅いというのは、例えば、１つの送信スロットの時間幅の範囲におけるようなものであり、つまり、このような時間幅の両端の中間のタイミング或いは近似的な両端の中間のタイミングを送信タイミングとして設定することにより、このような時間幅の中心のタイミング或いは中心に近いタイミングを送信タイミングとして設定することができる。
【００２５】
また、一構成例として、所定の条件として、例えば、通信局装置から同一の送信タイミングで無線送信されるポーリング応答が連続した所定の回数の中で少なくとも１回は基地局装置により正常に受信されるといった条件が用いられ、また、当該条件には、このように少なくとも１回は受信される状態から１回も受信されない状態へ移行したところが含まれてもよい。
ここで、所定の回数としては、種々な回数が用いられてもよい。
【００２６】
具体的には、例えば、通信局装置から同一の送信タイミングで無線送信されるポーリング応答が連続して規定の回数以上に（或いは、規定の回数を超えて）基地局装置により非受信である場合（つまり、受信されない場合）であって当該非受信の状態が正常に受信される状態との境界付近ではない場合には当該送信タイミングで無線送信されるポーリング応答の基地局装置による受信状況が所定の条件を満たさないと判定する一方、他の場合（つまり、正常に受信される場合、及び、正常に受信されないが正常に受信される状態との境界付近である場合）には所定の条件を満たすと判定する。
【００２７】
また、一構成例として、通信局装置は、起動されたことを契機として、基地局装置との無線通信のタイミングを設定する処理を実行する。
従って、通信局装置では例えばユーザにより起動された場合に無線通信のタイミングの設定処理が自動的に実行されるため、ユーザによる通信局装置の設置作業の負担を軽減することが可能である。
【００２８】
なお、通信局装置の無線通信タイミング設定手段に関する他の構成例として、１回以上の任意の回数の送信タイミングで基地局装置に対して無線送信したポーリング応答について基地局装置から受信したポーリング応答受信状況情報に基づいて、基地局装置との無線通信のタイミングを設定するような構成とすることも可能である。
【００２９】
【発明の実施の形態】
本発明に係る一実施例を図面を参照して説明する。
図１には、本発明を適用した無線アクセスシステムの概略的な構成例として、ネットワーク３に接続された基地局装置１と、パーソナルコンピュータなどの情報処理端末装置（通信端末装置）４が接続された加入者局装置２を示してある。
【００３０】
基地局装置１は、アンテナ部１１や、無線通信部１２や、制御部１３を備えている。
加入者局装置２は、アンテナ部１４や、無線通信部１５や、制御部１６を備えており、基地局装置１との無線通信タイミングの粗調整を行う粗調整機能２１や、当該無線通信タイミングの微調整を行う微調整機能２２を備えている。
【００３１】
加入者側装置２は、例えば基地局装置１との同期を確立する時に、通信可能な送受信タイミングを自動的に検索する。
具体的には、加入者局装置２は、粗調整処理では、運用中に毎フレーム或いは特定フレーム毎に、送信タイミングを変更しながら、基地局装置へ通信接続を試みる。また、加入者局装置２は、当該通信接続が完了した後に、微調整処理では、通信可能な送信タイミングの設定値の最大値及び最小値を検索し、当該最大値と当該最小値との中間値を送信タイミングの最適値として導き出す。
【００３２】
基地局装置１は、加入者局装置２から受信した信号の受信状況を、全ての加入者局装置２が受信する報知信号により送信する。
なお、本例では、説明の便宜上から、１つの加入者局装置２のみを示すが、基地局装置１には複数の加入者局装置が収容され得る。
【００３３】
図２を参照して、加入者局装置２により基地局装置１との無線通信タイミングを導出する処理の手順の一例を示す。
まず、粗調整処理では、加入者局装置２は、基地局装置１へ接続要求（無線通信接続要求）を無線送信し（ステップＳ１）、当該接続要求に対する応答（無線通信接続の許可）が基地局装置１から受信されるか否かを確認する（ステップＳ２）。そして、規定の回数（応答待ち回数）だけ接続要求を送信しても基地局装置１からの応答を受信できなかった場合には（ステップＳ３）、無線送信のタイミングの設定値を変更して（ステップＳ４）、再び、基地局装置１への接続要求を行い、このような動作を繰り返す（ステップＳ１〜ステップＳ４）。一方、基地局装置１からの応答を受信することができた場合には、当該粗調整処理から微調整処理へ移行する。
【００３４】
次に、微調整処理では、加入者局装置２は、まず、無線送信可能なタイミング設定値の最大値を導出する処理を行う（ステップＳ１１）。具体的には、基地局装置１からのポーリング要求に対して基地局装置１へポーリング応答を無線送信するに際して、当該無線送信のタイミング設定値を変更していく（ステップＳ１２）。そして、例えば基地局装置１からの報知信号に含まれるポーリング応答の受信状況に関する情報（ポーリング応答受信状況情報）を解析した結果に基づいて、基地局装置１へ送信したポーリング応答が基地局装置１により受信されたか否か（エラーではないか否か）を検出する（ステップＳ１３）。
【００３５】
当該検出の結果（ステップＳ１３）、エラーでなければ、無線送信のタイミング設定値を大きくなる方向へ変更して（ステップＳ１４）、以降のポーリング応答を行う（ステップＳ１２〜ステップＳ１５）。一方、当該検出の結果（ステップＳ１３）、エラーである場合には、所定の回数（リトライ回数）を超えてエラーが連続したか否かを判定し（ステップＳ１５）、当該判定の結果、エラーが当該所定の回数以内であれば以降のポーリング応答を続行する一方で（ステップＳ１２〜ステップＳ１５）、エラーが当該所定の回数を超えたときには例えば今回における無線送信のタイミング設定値を最大値とする或いはポーリング応答が基地局装置１により正常に受信された前回における無線送信のタイミング設定値を最大値とする。
【００３６】
ここで、当該最大値が求められた段階では無線送信のタイミング設定値の最小値が決定されておらず（ステップＳ１６）、次に、無線送信可能なタイミング設定値の最小値を導出する処理を行う（ステップＳ１７）。具体的には、上記した最大値を導出する処理と同様な処理を行う（ステップＳ１２〜ステップＳ１５）。なお、最小値を導出する処理では、上記したステップＳ１４の処理では、無線送信のタイミング設定値を小さくなる方向へ変更する。
【００３７】
このように、ポーリング応答が基地局装置１により正常に受信される状態から無線送信のタイミング設定値を次第に大きく或いは次第に小さく変更していって、初めてポーリング応答が連続して数回エラーとなる無線送信のタイミング設定値が基地局装置１と通信可能なタイミング設定値の限界値（最大値或いは最小値）となり、これにより、最大値及び最小値が検索される。
そして、検索した最大値と最小値から、例えば当該最大値と当該最小値との中間の値を、最適なタイミング設定値として導出する（ステップＳ２１）。
【００３８】
以上のように、本例の無線アクセスシステムでは、基地局側の装置と加入者局側の装置との間で例えば間欠的な無線フレーム構成に同期して信号の送受信を行うに際して、基地局装置１には、受信した制御信号の受信結果を加入者局装置２に報知する機能を備え、また、加入者局装置２には、例えば連続的に或いは間欠的に受信を行う機能や、無線通信のタイミングを変更しながら無線フレームの解析を行って通信に最適な通信タイミングを探す機能を備えた。
【００３９】
従って、本例の無線アクセスシステムでは、加入者局装置２において無線通信のタイミングが自動的に調整されて基地局装置１との通信が可能となるため、加入者局装置２の調整作業における作業負荷を軽減することができる。また、加入者局装置２では、ポーリング処理を利用して、無線通信のタイミング設定値が調整されるため、ポーリング処理と当該調整処理とを有効に組み合わせて、効率的な処理を実現することができる。
【００４０】
具体的には、例えば、加入者局装置２を設置する際などに、設置者などが加入者局装置２と基地局装置１との距離などに基づいて無線通信のタイミング設定値を計算する作業や当該タイミング設定値を端末から入力する作業を省略することが可能である。一例として、設置者が予め加入者局装置２のアンテナ方位を基地局装置１にあわせて設置を行えば加入者局装置２と基地局装置１とでデータ通信することが可能な構成とすることにより、設置作業を最低限に或いは少なくすることができる。
【００４１】
また、具体的には、加入者局装置２を設置する時などに端末を用意する必要をなくすことや端末からの入力作業をなくすことが可能であるため、より容易に設置時などの調整作業を行うことが可能となり、これにより、例えば、人為的な誤りによる設置時などのトラブルを減少することができる。
こうしたことから、例えば、装置の取り扱いに熟練していない一般のユーザにより加入者局装置２を設置などすることが容易に可能となり、また、高所における作業においても安全性を確保することができる。
【００４２】
また、本例の加入者局装置２では、基地局装置１との無線通信が可能な状態から可能でない状態へ移行したタイミング設定値の大きい側の限界値（最大値）及び小さい側の限界値（最小値）の中間値がタイミング設定値として自動的に設定されるため、無線通信に最適なタイミングを設定することが可能である。
【００４３】
また、本例の加入者局装置２では、例えば起動時に、無線通信タイミングの調整が自動的に行われるため、設置者が特に意識することなく、基地局装置１と品質よくデータ通信が可能な状態へ設定することが可能である。
【００４４】
なお、本例では、無線アクセスシステムに本発明を適用しており、加入者局装置２により通信局装置が構成されている。
また、本例の加入者局装置２では、制御部１６により各種の処理や制御を行う機能や、無線通信部１５によりアンテナ部１４を用いて無線通信を行う機能により、無線通信接続要求送信手段や、ポーリング要求受信手段や、ポーリング応答送信手段や、ポーリング応答受信状況情報受信手段や、無線通信タイミング設定手段が構成されている。
また、本例の基地局装置１では、制御部１３により各種の処理や制御を行う機能や、無線通信部１２によりアンテナ部１１を用いて無線通信を行う機能により、無線通信接続要求受信手段や、無線通信接続許可送信手段や、ポーリング要求送信手段や、ポーリング応答受信手段や、ポーリング応答受信状況情報送信手段が構成されている。
【００４５】
また、本例では、基地局装置１と加入者局装置２とのそれぞれに上記したそれぞれの手段を備えた構成を示したが、他の構成例として、基地局側の装置を複数の装置から構成してこれら複数の装置に上記したような本発明に係る基地局装置側の手段を分散させて備えるような構成を用いることも可能であり、また、加入者局側の装置を複数の装置から構成してこれら複数の装置に上記したような本発明に係る加入者局装置側の手段を分散させて備えるような構成を用いることも可能である。
【００４６】
ここで、本発明に係る無線通信システムや通信局装置や基地局装置などの構成としては、必ずしも以上に示したものに限られず、種々な構成が用いられてもよい。なお、本発明は、例えば本発明に係る処理を実行する方法或いは方式や、このような方法や方式を実現するためのプログラムなどとして提供することも可能である。
また、本発明の適用分野としては、必ずしも以上に示したものに限られず、本発明は、種々な分野に適用することが可能なものである。
【００４７】
また、本発明に係る無線通信システムや通信局装置や基地局装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを記録媒体からコンピュータに入力してプロセッサに実行させることにより、本発明に係る処理を遂行させることができる。
【００４８】
【発明の効果】
以上説明したように、本発明に係る無線通信システムによると、基地局装置と通信局装置とが無線により通信する構成において、基地局装置が通信局装置に対してポーリング要求を無線により送信し、通信局装置が当該ポーリング要求を受信して当該ポーリング要求に対するポーリング応答を基地局装置に対して無線により送信し、これに際して通信局装置が当該送信のタイミングを変更し、基地局装置が当該ポーリング応答の受信状況に関する情報（ポーリング応答受信状況情報）を通信局装置に対して無線により送信し、通信局装置が当該ポーリング応答受信状況情報を受信し、通信局装置が複数の異なる送信タイミングで基地局装置に対して無線送信したポーリング応答について基地局装置から受信したポーリング応答受信状況情報に基づいて基地局装置との無線通信のタイミングを設定するようにしたため、当該設定の処理を効率化することができる。
【図面の簡単な説明】
【図１】本発明の一実施例に係る無線アクセスシステムの構成例を示す図である。
【図２】加入者局装置により行われる処理の手順の一例を示す図である。
【符号の説明】
１・・基地局装置、  ２・・加入者局装置、  ３・・ネットワーク、
４・・情報処理端末装置、  １１、１４・・アンテナ部、
１２、１５・・無線通信部、  １３、１６・・制御部、  ２１・・粗調整機能、
２２・・微調整機能、
【図１】
2004172942.tif 000003
【図２】
2004172942.tif 000004